【手続補正書】
【提出日】平成20年4月15日(2008.4.15)
【手続補正１】
【補正対象書類名】明細書
【補正対象項目名】０００５
【補正方法】変更
【補正の内容】
【０００５】
多くの企業は、医療用途のもの（Ｔｅｋｓｃａｎなど）を含め圧力および接触センサを提供しているが、これらのセンサは、高いパルス磁場という独特の環境においての最適な利用のために、或いはＴＭＳで使用するため設計されたものではなく、本発明者の認識では、このようなセンサのうち、治療の間中ＴＭＳコイルが被験者頭部に接触し続けるよう臨床医を支援する目的で利用されているものは存在しない。このため、ＴＭＳ治療処置が必要な間中ＴＭＳコイルが患者に接触し、また接触し続けることを検出する機器および技術が必要とされている。本発明は、当該技術分野におけるこの必要性に応えるものである。
この出願の発明に関連する先行技術文献情報としては、以下のものがある（国際出願日以降国際段階で引用された文献及び他国に国内移行した際に引用された文献を含む）。
【特許文献１】米国特許第６，４８４，０５９号明細書
【特許文献２】米国特許第６，４６３，３２８号明細書
【特許文献３】米国特許第６，１７９，７７１号明細書
【特許文献４】米国特許第６，５７１，１２３号明細書
【特許文献５】米国特許出願第２００３／００２３１５９号明細書
【特許文献６】米国特許出願第２００３／００５０５２７号明細書
【特許文献７】米国特許出願第２００３／００７３８９９号明細書
【特許文献８】米国特許第６，５１６，２８８号明細書
【特許文献９】米国特許第６，５６０，４９０号明細書
【特許文献１０】米国特許第６，２５６，５３１号明細書
【特許文献１１】米国特許出願第２００２／００８７２０１号明細書
【特許文献１２】米国特許第６，５１６，２１３号明細書
【特許文献１３】米国特許出願第２００３／０１３０７０６号明細書
【特許文献１４】米国特許出願第２００２／００９１４１９号明細書
【特許文献１５】米国特許出願第２００３／０００４３９２号明細書
【特許文献１６】米国特許出願第２００３／００２３１５９号明細書
【特許文献１７】米国特許出願第２００３／００６５２４３号明細書
【特許文献１８】米国特許出願第２００３／００８８２７４号明細書
【特許文献１９】米国特許出願第２００３／００８２５０７号明細書
【特許文献２０】米国特許出願第２００３／００９７１６１号明細書
【特許文献２１】米国特許出願第２００３／０１２５７８６号明細書
【特許文献２２】米国特許出願第２００４／００１９３７０号明細書
【特許文献２３】米国特許第５，８２８，７７０号明細書
【特許文献２４】米国特許第５，９２３，４１７号明細書
【特許文献２５】米国特許第６，０６１，６４４号明細書
【特許文献２６】米国特許第６，２８８，７８５号明細書
【特許文献２７】米国特許第６，５５３，３２６号明細書
【特許文献２８】米国特許第６，６２５，５６３号明細書
【特許文献２９】米国特許第５，６５５，５３４号明細書
【特許文献３０】米国特許第６，２５６，５３１号明細書
【特許文献３１】米国特許第６，５３７，１９７号明細書
【特許文献３２】米国特許第５，２９９，５６９号明細書
【特許文献３３】米国特許出願第２００５／００２１１０４号明細書
【特許文献３４】米国特許第６，４９７，６４８号明細書
【特許文献３５】米国特許第６，３８９，３１８号明細書
【特許文献３６】米国特許第５，０９７，８３３号明細書
【特許文献３７】米国特許第３，６８３，９２３号明細書
【特許文献３８】米国特許第６，８２７，６８１号明細書
【特許文献３９】米国特許出願第２００４／０１５３１２９号明細書
【特許文献４０】米国特許第６，８４９，０４０号明細書
【特許文献４１】米国特許出願第２００４／００５１２７９号明細書
【特許文献４２】米国特許出願第２００４／００７７９２３号明細書
【特許文献４３】米国特許出願第２００４／０１３８５２４号明細書
【特許文献４４】米国特許出願第２００４／０１７２０１２号明細書
【特許文献４５】米国特許出願第２００４／０１９３００１号明細書
【特許文献４６】米国特許第４，４７３，０７４号明細書
【特許文献４７】米国特許第４，６３８，７９８号明細書
【特許文献４８】米国特許第５，２５４，１２３号明細書
【特許文献４９】米国特許第５，７２５，４７１号明細書
【特許文献５０】米国特許第５，８１２，３０１号明細書
【特許文献５１】米国特許第５，８２０，６２３号明細書
【特許文献５２】米国特許第６，０８６，５２５号明細書
【特許文献５３】米国特許第６，２１０，３１７号明細書
【特許文献５４】米国特許第６，２７９，５７９号明細書
【特許文献５５】米国特許出願第２００５／０２５６５３９号明細書
【特許文献５６】米国特許第６，９７８，１７９号明細書
【特許文献５７】米国特許出願第２００５／０２２８２０９号明細書
【特許文献５８】米国特許出願第２００４／０１５３１２９号明細書
【特許文献５９】米国特許出願第２００４／００７７９２１号明細書
【特許文献６０】米国特許出願第２００５／００２１１０４号明細書
【特許文献６１】米国特許第５，０９７，８３３号明細書
【特許文献６２】米国特許第５，２９９，５６９号明細書
【特許文献６３】米国特許第６，３８９，３１８号明細書
【特許文献６４】米国特許第６，４９７，６４８号明細書
【特許文献６５】米国特許第６，５５１，２３３号明細書
【特許文献６６】米国特許第６，８２７，６８１号明細書
【特許文献６７】米国特許第６，８４９，０４０号明細書
【特許文献６８】米国特許第５，８５５，５８２号明細書
【特許文献６９】米国特許第５，３７０，１１７号明細書
【特許文献７０】米国特許第６，４１８，３４５号明細書
【特許文献７１】国際公開第０２／０３２５０４号明細書
【特許文献７２】国際公開第０２／０９４９９７号明細書
【特許文献７３】国際公開第０２／０８５４４９号明細書
【特許文献７４】国際公開第０１／９７９０６号明細書
【特許文献７５】国際公開第０２／０８９９０２号明細書
【特許文献７６】国際公開第０３／０３５１６３号明細書
【特許文献７７】国際公開第９９／０６４８８４号明細書
【特許文献７８】国際公開第０２／０７２１９４号明細書
【特許文献７９】欧州特許第０９９８９５８号明細書
【特許文献８０】国際公開第０３／０９８２６８号明細書
【特許文献８１】国際公開第０２／０８５４５４号明細書
【特許文献８２】国際公開第０５／０６５７６８号明細書
【特許文献８３】国際公開第０５／０６７６１０号明細書
【特許文献８４】国際公開第２００５／０００４０１号明細書
【非特許文献１】Ｂａｕｄｅｗｉｇ，Ｊ．ｅｔ．ａｌ．，"Ｆｕｎｃｔｉｏｎａｌ  ＭＲＩ  ｏｆ  Ｃｏｒｔｉｃａｌ  Ａｃｔｉｖａｔｉｏｎｓ  Ｉｎｄｕｃｅｄ  ｂｙ  Ｔｒａｎｓｃｒａｎｉａｌ  Ｍａｇｎｅｔｉｃ  Ｓｔｉｍｕｌａｔｉｏｎ  （ＴＭＳ）"，Ｂｒａｉｎ  Ｉｍａｇｉｎｇ−ＮｅｕｒｏＲｅｐｏｒｔ，２００１，１２（１６），３５４３−３５４８
【非特許文献２】Ｂｏｈｎｉｎｇ，  Ｄ．Ｅ．  Ｐｈ．Ｄ．ｅｔ．ａｌ．，"ＢＯＬＤ−ｆＭＲＩ  Ｒｅｓｐｏｎｓｅ  ｔｏ  Ｓｉｎｇｌｅ−Ｐｕｌｓｅ  Ｔｒａｎｓｃｒａｎｉａｌ  Ｍａｇｎｅｔｉｃ  Ｓｔｉｍｕｌａｔｉｏｎ  （ＴＭＳ）"，Ｊｏｕｒｎａｌ  ｏｆ  Ｍａｇｎｅｔｉｃ  Ｒｅｓｏｎａｎｃｅ  Ｉｍａｇｉｎｇ，  ２０００，１１，５６９−５７４
【非特許文献３】Ｂｏｈｎｉｎｇ，  Ｄ．Ｅ．  Ｐｈ．Ｄ．ｅｔ  ａｌ．，"Ａ  Ｃｏｍｂｉｎｅｄ  ＴＭＳ／ｆＭＲＩ  Ｓｔｕｄｙ  ｏｆ  Ｉｎｔｅｎｓｉｔｙ−Ｄｅｐｅｎｄａｎｔ  ＴＭＳ  ｏｖｅｒ  Ｍｏｔｏｒ  Ｃｏｒｔｅｘ"，Ｓｏｃｉｅｔｙ  ｏｆ  Ｂｉｏｌｏｇｉｃａｌ  Ｐｓｙｃｈｉａｔｒｙ，１９９９，４５，３８５−３９４
【非特許文献４】Ｂｏｈｎｉｎｇ，  Ｄ．Ｅ．  ｅｔ  ａｌ．，"Ａ  ＴＭＳ  Ｃｏｉｌ  Ｐｏｓｉｔｉｏｎｉｎｇ／Ｈｏｌｄｉｎｇ  Ｓｙｓｔｅｍ  ｆｏｒ  ＭＲ  Ｉｍａｇｅ−Ｇｕｉｄｅｄ  ＴＭＳ  Ｉｎｔｅｒｌｅａｖｅｄ  ｗｉｔｈ  ｆＭＲＩ"，  Ｃｌｉｎｉｃａｌ  Ｎｅｕｒｏｐｈｙｓｉｏｌｏｇｙ，  ２００３，１１４，２２１０−２２１９
【非特許文献５】Ｇｅｏｒｇｅ，  Ｍ．Ｓ．  ｅｔ  ａｌ．，  "Ａ  Ｃｏｎｔｒｏｌｌｅｄ  Ｔｒｉａｌ  ｏｆ  Ｄａｉｌｙ  Ｌｅｆｔ  Ｐｒｅｆｒｏｎｔａｌ  Ｃｏｒｔｅｘ  ＴＭＳ  ｆｏｒ  Ｔｒｅａｔｉｎｇ  Ｄｅｐｒｅｓｓｉｏｎ"，  Ｓｏｃｉｅｔｙ  ｏｆ  Ｂｉｏｌｏｇｉｃａｌ  Ｐｓｙｃｈｉａｔｒｙ，２０００，４８，９６２−９７０
【非特許文献６】Ｇｒａｆｍａｎ，  Ｊ．  Ｐｈ．Ｄ．，"ＴＭＳ  ａｓ  ａ  Ｐｒｉｍａｒｙ  Ｂｒａｉｎ  Ｍａｐｐｉｎｇ  Ｔｏｏｌ"，Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，  ２０００，１１５−１４０
【非特許文献７】Ｌｉｓａｎｂｙ，Ｓ．Ｈ．ｅｔ  ａｌ．，"Ｓｈａｍ  ＴＭＳ：Ｉｎｔｒａｃｅｒｅｂｒａｌ  Ｍｅａｓｕｒｅｍｅｎｔ  ｏｆ  ｔｈｅ  Ｉｎｄｕｃｅｄ  Ｅｌｅｃｔｒｉｃａｌ  Ｆｉｅｌｄ  ａｎｄ  ｔｈｅ  Ｉｎｄｕｃｔｉｏｎ  ｏｆ  Ｍｏｔｏｒ−Ｅｖｏｋｅｄ  Ｐｏｔｅｎｔｉａｌｓ"，  Ｓｏｃｉｅｔｙ  ｏｆ  Ｂｉｏｌｏｇｉｃａｌ  Ｐｓｙｃｈｉａｔｒｙ，  ２００１，４９，４６０−４６３
【非特許文献８】Ｌｏｒｂｅｒｂａｕｍ，Ｊ．Ｐ．，Ｍ．Ｄ．  ｅｔ  ａｌ．，"Ｓａｆｅｔｙ  Ｃｏｎｃｅｒｎｓ  ｏｆ  ＴＭＳ"，Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，２０００，１４１−１６１
【非特許文献９】Ｌｏｏ，  Ｃ．Ｋ．  ｅｔ  ａｌ．，  "Ｔｒａｎｓｃｒａｎｉａｌ  Ｍａｇｎｅｔｉｃ  Ｓｔｉｍｕｌａｔｉｏｎ  （ＴＭＳ）ｉｎ  Ｃｏｎｔｒｏｌｌｅｄ  Ｔｒｅａｔｍｅｎｔ  Ｓｔｕｄｉｅｓ：Ａｒｅ  Ｓｏｍｅ  "Ｓｈａｍ"Ｆｏｒｍｓ  Ａｃｔｉｖｅ？"，Ｓｏｃｉｅｔｙ  ｏｆ  Ｂｉｏｌｏｇｉｃａｌ  Ｐｓｙｃｈｉａｔｒｙ，  ２０００，４７，３２５−３３１
【非特許文献１０】Ｎａｈａｓ，  Ｚ．ｅｔ  ａｌ．，"Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ  （ＴＭＳ）  Ｔｒｅａｔｍｅｎｔ  ｏｆ  Ｄｅｐｒｅｓｓｉｏｎ  ｉｎ  Ｂｉｐｏｌａｒ  Ａｆｆｅｃｔｉｖｅ  Ｄｉｓｏｒｄｅｒ：Ａ  Ｐｉｌｏｔ  Ｓｔｕｄｙ  ｏｆ  Ａｃｕｔｅ  Ｓａｆｅｔｙ  ａｎｄ  Ｅｆｆｉｃａｃｙ"，  Ｂｉｐｏｌａｒ  Ｄｉｓｏｒｄｅｒｓ，  ２００３，５，４０−４７
【非特許文献１１】Ｎａｈａｓ，  Ｚ．  ｅｔ  ａｌ．，"Ｕｎｉｌａｔｅｒａｌ  Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ（ＴＭＳ）Ｐｒｏｄｕｃｅｓ  Ｉｎｔｅｎｓｉｔｙ−Ｄｅｐｅｎｄｅｎｔ  Ｂｉｌａｔｅｒａｌ  Ｅｆｆｅｃｔｓ  ａｓ  Ｍｅａｓｕｒｅｄ  ｂｙ  Ｉｎｔｅｒｌｅａｖｅｄ  ＢＯＬＤｆＭＲＩ"，Ｓｏｃｉｅｔｙ  ｏｆ  Ｂｉｏｌｏｇｉｃａｌ  Ｐｓｙｃｈｉａｔｒｙ，  ２００１，５０，７１２−７２０
【非特許文献１２】Ｎａｈａｓ，  Ｚ．  ｅｔ  ａｌ．，"Ｓａｆｅｔｙ  ａｎｄ  Ｆｅａｓｉｂｉｌｉｔｙ  ｏｆ  Ｒｅｐｅｔｉｔｉｖｅ  Ｔｒａｎｓｃｒａｎｉａｌ  Ｍａｇｎｅｔｉｃ  Ｓｔｉｍｕｌａｔｉｏｎ  ｉｎ  ｔｈｅ  Ｔｒｅａｔｍｅｎｔ  ｏｆ  Ａｎｘｉｏｕｓ  Ｄｅｐｒｅｓｓｉｏｎ  ｉｎ  Ｐｒｅｇｎａｎｃｙ：Ａ  Ｃａｓｅ  Ｒｅｐｏｒｔ"，  Ｊ．  Ｃｌｉｎ  Ｐｓｙｃｈｉａｔｒｙ，  １９９９，Ｊａｎｕａｒｙ，  ６０，５０−５２
【非特許文献１３】Ｒｕｏｈｏｎｅｎ，  Ｊ．，"Ｅｌｅｃｔｒｏｅｎｃｅｐｈａｌｏｇｒａｐｈｙ  Ｃｏｍｂｉｎｅｄ  ｗｉｔｈ  ＴＭＳ"，  ＢｉｏＭａｇ  Ｌａｂｏｒａｔｏｒｙ，  Ｈｅｌｓｉｎｋｉ  Ｕｎｉｖｅｒｓｉｔｙ  Ｃｅｎｔｒａｌ  Ｈｏｓｐｉｔａｌ，  ｈｔｔｐ：／／ｗｗｗ．ｂｉｏｍａｇ．ｈｅｌｓｉｎｋｉ．ｆｉ／ｔｍｓ／ＴＭＳＥＥＧ．ｈｔｍｌ，  １９９９，Ｏｃｔｏｂｅｒ  ６，ｐ．２２
【非特許文献１４】Ｇｒｅｅｎｅ，  ＹＭ．，ＡＰＡ  Ｍｅｅｔｉｎｇ，  Ｅｌｅｃｔｒｏｍａｇｎｅｔｉｃ  Ｓｔｉｍｕｌａｔｉｏｎ  Ｒｅｌｉｅｖｅｓ  Ｄｅｐｒｅｓｓｉｏｎ"，ｈｔｔｐ：／／ＨｅａｌｔｈｙＰｌａｃｅ．ｃｏｍ，１９９９，Ｍａｙ  １７，ｐ．３
【非特許文献１５】Ｇａｒｃｉａ−Ｔｏｒｏ，  Ｍ．  ｅｔ  ａｌ．，  "Ｍｏｄｅｓｔ  Ａｄｊｕｎｃｔｉｖｅ  Ｂｅｎｅｆｉｔ  ｗｉｔｈ  Ｔｒａｎｓｃｒａｎｉａｌ  Ｍａｇｎｅｔｉｃ  Ｓｔｉｍｕｌａｔｉｏｎ  ｉｎ  Ｍｅｄｉｃａｔｉｏｎ−Ｒｅｓｉｓｔａｎｔ  Ｄｅｐｒｅｓｓｉｏｎ"，  Ｊｏｕｒｎａｌ  ｏｆ  Ａｆｆｅｃｔｉｖｅ  Ｄｉｓｏｒｄｅｒｓ，  ２００１，６４，２７１−２７５
【非特許文献１６】Ｇｅｏｒｇｅ，  Ｍ．Ｓ．"Ｎｅｗ  Ｍｅｔｈｏｄｓ  ｏｆ  Ｍｉｎｉｍａｌｌｙ  Ｉｎｖａｓｉｖｅ  Ｂｒａｉｎ  Ｍｏｄｕｌａｔｉｏｎ  ａｓ  Ｔｈｅｒａｐｉｅｓ  ｉｎ  Ｐｓｙｃｈｉａｔｒｙ：  ＴＭＳ，  ＭＳＴ，  ＶＮＳ  ａｎｄ  ＤＢＳ"，Ｃｈｉｎｅｓｅ  Ｍｅｄｉｃａｌ  Ｊｏｕｒｎａｌ  （Ｔａｉｐｅｉ），  ２００２，６５，３４９−３６０
【非特許文献１７】Ｌｉｓａｎｂｙ，  Ｓ．Ｈ．  ＭＤ．ｅｔ  ａｌ．，"Ｍａｇｎｅｔｉｃ  Ｓｅｉｚｕｒｅ  Ｔｈｅｒａｐｙ  ｏｆ  Ｍａｊｏｒ  Ｄｅｐｒｅｓｓｉｏｎ"，  Ａｒｃｈ  Ｇｅｎ  Ｐｓｙｃｈｉａｔｒｙ，  ２００１，５８，３０３−３０７
【非特許文献１８】Ｌｉｓａｎｂｙ，  Ｓ．Ｈ．，"Ｓａｆｅｔｙ  ａｎｄ  Ｆｅａｓｉｂｉｌｉｔｙ  ｏｆ  Ｍａｇｎｅｔｉｃ  Ｓｅｉｚｕｒｅ  Ｔｈｅｒａｐｙ  （ＭＳＴ）ｉｎ  Ｍａｊｏｒ  Ｄｅｐｒｅｓｓｉｏｎ：  Ｒａｎｄｏｍｉｚｅｄ  Ｗｉｔｈｉｎ−Ｓｕｂｊｅｃｔ  Ｃｏｍｐａｒａｓｉｏｎ  ｗｉｔｈ  Ｅｌｅｃｔｒｏｃｏｎｖｕｌｓｉｖｅ  Ｔｈｅｒａｐｙ"，Ｎｅｕｒｏｐｓｙｃｈｏｐｈａｒｍａｃｏｌｏｇｙ，Ｎｅｗ  Ｙｏｒｋ  Ｓｔａｔｅ  Ｐｓｙｃｈｉａｔｒｉｃ  Ｉｎｓｔｉｔｕｔｅ，２００３，２８，１８５２−１８６５
【非特許文献１９】Ｌｉｓａｎｂｙ，  Ｓ．Ｈ．，  "Ｕｐｄａｔｅ  ｏｎ  Ｍａｇｎｅｔｉｃ  Ｓｅｉｚｕｒｅ  Ｔｈｅｒａｐｙ：  Ａ  Ｎｏｖｅｌ  Ｆｏｒｍ  ｏｆ  Ｃｏｎｖｕｌｓｉｖｅ  Ｔｈｅｒａｐｙ"，  ｔｈｅ  Ｊｏｕｒｎａｌ  ｏｆ  ＥＣＴ，  ２００２，  １８，１８２−１８８
【非特許文献２０】Ｐｒｉｄｍｏｒｅ，  Ｓ．，"Ｒａｐｉｄ  Ｔｒａｎｓｃｒａｎｉａｌ  Ｍａｇｎｅｔｉｃ  Ｓｔｉｍｕｌａｔｉｏｎ  ａｎｄ  Ｎｏｒｍａｌｉｚａｔｉｏｎ  ｏｆ  ｔｈｅ  Ｄｅｘａｍｅｔｈａｓｏｎｅ  Ｓｕｐｐｒｅｓｓｉｏｎ  Ｔｅｓｔ"，  Ｐｓｙｃｈｉａｔｒｙ  ａｎｄ  Ｃｌｉｎｉｃａｌ  Ｎｅｕｒｏｓｃｉｅｎｃｅｓ，  １９９９，５３，３３−３７
【非特許文献２１】Ｒｏｔｈ，  Ｙ．  ｅｔ  ａｌ．，  "Ａ  Ｃｏｉｌ  Ｄｅｓｉｇｎ  ｆｏｒ  Ｔｒａｎｓｃｒａｎｉａｌ  Ｍａｇｎｅｔｉｃ  Ｓｔｉｍｕｌａｔｉｏｎ  ｏｆ  Ｄｅｅｐ  Ｂｒａｉｎ  Ｒｅｇｉｏｎｓ"，  Ｊｏｕｒｎａｌ  ｏｆ  Ｃｌｉｎｉｃａｌ  Ｎｅｕｒｏｐｈｙｓｉｏｌｏｇｙ，  ２００２，１９（４），３６１−３７０
【非特許文献２２】Ｔｅｒｒａｃｅ，  Ｈ．Ｓ．ｅｔ  ａｌ．，"Ｔｈｅ  Ｃｏｇｎｉｔｉｖｅ  Ｅｆｆｅｃｔｓ  ｏｆ  Ｅｌｅｃｔｒｏｃｏｎｖｕｌｓｉｖｅ  Ｓｈｏｃｋ  ａｎｄ  Ｍａｇｎｅｔｉｃ  Ｓｅｉｚｕｒｅ  Ｔｈｅｒａｐｙ  ｉｎ  Ｒｈｅｓｕｓ  Ｍｏｎｋｅｙｓ"，  Ｓｏｃｉｅｔｙ  ｆｏｒ  Ｎｅｕｒｏｓｃｉｅｎｃｅ  Ａｂｓｔｒａｃｔ  Ｖｉｅｗｅｒ  ａｎｄ  Ｉｔｉｎｅｒａｒｙ  Ｐｌａｎｎｅｒ，  ２００２，ＡＢＳＴＲＡＣＴ  ＯＮＬＹ  ＃５３６．７
【非特許文献２３】Ｔｒｉｖｅｄｉ，  Ｍ．  Ｈ．，  ＭＤ．，  "Ｔｒｅａｔｍｅｎｔ−Ｒｅｓｉｓｔａｎｔ  Ｄｅｐｒｅｓｓｉｏｎ：Ｎｅｗ  Ｔｈｅｒａｐｉｅｓ  ｏｎ  ｔｈｅ  Ｈｏｒｉｚｏｎ"，  Ａｎｎａｌｓ  ｏｆ  Ｃｌｉｎｉｃａｌ  Ｐｓｙｃｈｉａｔｒｙ，  ２００３，１５（１），５９−７０
【非特許文献２４】Ｈｅｓｓ，  Ｃ．  Ｗ．  ｅｔ  ａｌ．，  "Ｍａｇｎｅｔｉｃ  Ｓｔｉｍｕｌａｔｉｏｎ  ｏｆ  ｔｈｅ  Ｈｕｍａｎ  Ｂｒａｉｎ：  Ｉｎｆｌｕｅｎｃｅ  ｏｆ  Ｓｉｚｅ  ａｎｄ  Ｓｈａｐｅ  ｏｆ  ｔｈｅ  Ｓｔｉｍｕｌａｔｉｎｇ  Ｃｏｉｌ"，Ｍｏｔｏｒ  Ｄｉｓｔｕｒｂａｎｃｅｓ  ＩＩ，  １９９０，３，３１−４２
【非特許文献２５】Ｗａｓｓｅｒｍａｎｎ，  Ｅ．Ｍ．，"Ｒｅｐｅｔｉｔｉｖｅ  Ｔｒａｎｓｃｒａｎｉａｌ  Ｍａｇｎｅｔｉｃ  Ｓｔｉｍｕｌａｔｉｏｎ：  Ａｎ  Ｉｎｔｒｏｄｕｃｔｉｏｎ  ａｎｄ  Ｏｖｅｒｖｉｅｗ"，  ＣＮＳ  Ｓｐｅｃｔｒｕｍｓ，  Ｔｈｅ  Ｉｎｔｅｒｎａｔｉｏｎａｌ  Ｊｏｕｒｎａｌ  ｏｆ  Ｎｅｕｒｏｐｓｙｃｈｉａｔｒｉｃ  Ｍｅｄｉｃｉｎｅ，  Ｊａｎｕａｒｙ  １９９７，ｐ．７
【非特許文献２６】Ａｗｉｓｚｕｓ，  Ｆ．ｅｔ  ａｌ．，"Ｃｈａｒａｃｔｅｒｉｚａｔｉｏｎ  ｏｆ  Ｐａｉｒｅｄ−Ｐｕｌｓｅ  Ｔｒａｎｓｃｒａｎｉａｌ  Ｍａｇｎｅｔｉｃ  Ｓｔｉｍｕｌａｔｉｏｎ  Ｃｏｎｄｉｔｉｏｎｓ  Ｙｉｅｌｄｉｎｇ  Ｉｎｔｒａｃｏｒｔｉｃａｌ  Ｉｎｈｉｂｉｔｉｏｎ  ｏｆ  Ｉ−Ｗａｖｅ  Ｆａｃｉｌｉｔａｔｉｏｎ  ｕｓｉｎｇ  ａ  Ｔｈｒｅｓｈｏｌｄ  Ｐａｒａｄｉｇｍ"，  Ｅｘｐｅｒｉｍｅｎｔａｌ  Ｂｒａｉｎ  Ｒｅｓｅａｒｃｈ，  １９９９，１２９，３１７−３２４
【非特許文献２７】Ｋｅｉｊｉ，Ｉ．  ｅｔ  ａｌ．，"Ｅｆｆｅｃｔｓ  ｏｆ  Ｔｒａｎｓｃｒａｎｉａｌ  Ｍａｇｎｅｔｉｃ  Ｓｔｉｍｕｌａｔｉｏｎ  ｏｎ  ＥＥＧ  Ａｃｔｉｖｉｔｙ"，ＩＥＥＥ  ｔｒａｎｓａｃｔｉｏｎｓ  ｏｎ  Ｍａｇｎｅｔｉｃｓ，  ２００２，３８（５），３３４７−３３４９．ＸＰ  ０１１０７５４１０
【非特許文献２８】Ｐａｓｃｕａｌ−Ｌｅｏｎｅ，  Ａ．  ｅｔ  ａｌ．，  "Ｒａｐｉｄ−Ｒａｔｅ  Ｔｒａｎｓｃｒａｎｉａｌ  Ｍａｇｎｅｔｉｃ  Ｓｔｉｍｕｌａｔｉｏｎ  ｏｆ  Ｌｅｆｔ  Ｄｏｒｓｏｌａｔｅｒａｌ  Ｐｒｅｆｒｏｎｔａｌ  Ｃｏｒｔｅｘ  ｉｎ  Ｄｒｕｇ−Ｒｅｓｉｓｔａｎｔ  Ｄｅｐｒｅｓｓｉｏｎ"，Ｔｈｅ  Ｌａｎｃｅｔ，  １９９６，１８，２３３−２３７
【非特許文献２９】Ｓｏｍｍｅｒ，  Ｍ．  ｅｔ  ａｌ．，"Ｉｎｃｒｅａｓｅｄ  Ｔｒａｎｓｃｒａｎｉａｌ  Ｍａｇｎｅｔｉｃ  Ｍｏｔｏｒ  Ｔｈｒｅｓｈｏｌｄ  ａｆｔｅｒ  ＥＣＴ"，Ｅｕｒｏｐｅａｎ  Ａｒｃｈｉｖｅｓ  ｏｆ  Ｐｓｙｃｈｉａｔｒｙ  ａｎｄ  Ｃｌｉｎｉｃａｌ  Ｎｅｕｒｏｓｃｉｅｎｃｅ，  ２００２，２５２，２５０−２５２